(57)【要約】【課題】幅を狭く抑えた１つのパーツを用いて身頃が作製され、かつ着心地がよいパンツ、及びこのようなパンツの作製を可能にするための裁断生地を提供する。【解決手段】パンツの身頃を作製するための裁断生地１は、左右一対の股ぐり右側裁断ラインＲ４及び股ぐり左側裁断ラインＬ４と、右股下外側裁断ラインＲ５及び左股下外側裁断ラインＬ５と、中心線Ｚ上で接続された右股下内側裁断ラインＲ６及び左股下内側裁断ラインＬ６と、を有している。裁断生地１の股ぐり右側裁断ラインＲ４はＪ字状に湾曲して延び、当該股ぐり右側裁断ラインＲ４の右端点Ｒ１４における接線Ｒ１４ａが右上がりの傾斜をもち、股ぐり左側裁断ラインＬ４はＪ字状に湾曲して延び、当該股ぐり左側裁断ラインＬ４の左端点Ｌ１４における接線Ｌ１４ａが左上がりの傾斜をもっている。【選択図】図３
2008297645.tif 000002
【特許請求の範囲】
【請求項１】
中心線に対して左右線対称に形成された一枚裁ちの裁断生地を縫製して作製される身頃を備え、
前記裁断生地は、
上部の両端に位置し、外側に湾曲しながら下方に延びる左右一対の股ぐり右側裁断ライン及び股ぐり左側裁断ラインと、
前記股ぐり右側裁断ラインの右端の点から下方に延びる右股下外側裁断ライン、及び前記股ぐり左側裁断ラインの左端の点から下方に延びる左股下外側裁断ラインと、
前記右股下外側裁断ラインと左股下外側裁断ラインとの間に左右一対で設けられ、前記中心線上で接続された右股下内側裁断ライン及び左股下内側裁断ラインと、を有し、
前記身頃は、
前記股ぐり右側裁断ラインと股ぐり左側裁断ラインとが縫合されて形成される股ぐり縫い目と、
前記右股下外側裁断ラインと右股下内側裁断ラインとが縫合されて形成される右股下縫い目と、
前記左股下外側裁断ラインと左股下内側裁断ラインとが縫合されて形成される左股下縫い目と、を有し、
前記裁断生地の前記股ぐり右側裁断ラインはＪ字状に湾曲して延び、当該股ぐり右側裁断ラインの前記右端の点における接線が右上がりの傾斜をもち、
前記裁断生地の前記股ぐり左側裁断ラインはＪ字状に湾曲して延び、当該股ぐり左側裁断ライン前記左端の点における接線が左上がりの傾斜をもつことを特徴とするパンツ。
【請求項２】
前記裁断生地の前記右股下外側裁断ラインの下側と左股下外側裁断ラインの下側とが、前記中心線に略平行に延びていることを特徴とする請求項１に記載のパンツ。
【請求項３】
前記裁断生地の前記右股下外側裁断ラインの上側と前記股ぐり右側裁断ラインの下側とを輪郭として形成された右側持ち出し部と、前記裁断生地の前記左股下外側裁断ラインの上側と前記股ぐり左側裁断ラインの下側とを輪郭として形成された左側持ち出し部とが、それぞれ着用者の両脚内腿部に対応することを特徴とする請求項１又は２に記載のパンツ。
【請求項４】
前記裁断生地の前記右股下外側裁断ラインの上側と前記左股下外側裁断ラインの上側は、外側に凸のＵ字状に湾曲していることを特徴とする請求項１〜３の何れか１項に記載のパンツ。
【請求項５】
前記身頃の前記右股下縫い目と前記左股下縫い目とは、着用者の背面方向から見える位置において接続され、
前記股ぐり縫い目は、接続された前記右股下縫い目及び前記左股下縫い目に対してＴ字状に交差することを特徴とする請求項４に記載のパンツ。
【請求項６】
前記裁断生地の前記右股下外側裁断ラインの上側と前記左股下外側裁断ラインの上側は、Ｓ字状に湾曲していることを特徴とする請求項１〜３の何れか１項に記載のパンツ。
【請求項７】
前記身頃の前記右股下縫い目と前記左股下縫い目とは、着用者の正面方向から見える位置において接続され、
前記股ぐり縫い目は、接続された前記右股下縫い目及び前記左股下縫い目に対してＴ字状に交差することを特徴とする請求項６に記載のパンツ。
【請求項８】
パンツの身頃を作製するための裁断生地において、
中心線に対して左右線対称の形状に一枚裁ちで形成されており、
上部の両端に位置し、外側に湾曲しながら下方に延びる左右一対の股ぐり右側裁断ライン及び股ぐり左側裁断ラインと、
前記股ぐり右側裁断ラインの右端の点から下方に延びる右股下外側裁断ライン、及び前記股ぐり左側裁断ラインの左端の点から下方に延びる左股下外側裁断ラインと、
前記右股下外側裁断ラインと左股下外側裁断ラインとの間に左右一対で設けられ、前記中心線上で接続された右股下内側裁断ライン及び左股下内側裁断ラインと、を有し、
前記裁断生地の前記股ぐり右側裁断ラインはＪ字状に湾曲して延び、当該股ぐり右側裁断ラインの前記右端の点における接線が右上がりの傾斜をもち、
前記裁断生地の前記股ぐり左側裁断ラインはＪ字状に湾曲して延び、当該股ぐり左側裁断ラインの前記左端の点における接線が左上がりの傾斜をもつことを特徴とする裁断生地。
【発明の詳細な説明】
【技術分野】
【０００１】
本発明は、パンツ、及びパンツの身頃を作製するための裁断生地に関するものである。
【背景技術】
【０００２】
従来、知られているパンツとしては、例えば、下記特許文献１に記載のようなものがある。この文献に記載されたパンツは、臀部対応部分に縫い合せ部分を生じさせることなく、また、その臀部対応部分に伸縮性を生じさせるようにすることで、車椅子利用者等においても安心して着用できるように提案されたものである。このようなパンツは、着用時における所望の機能及び立体形状を実現するため、適宜設計された形状の多数の裁断パーツを組み合わせて作製される。なお、そのような特殊な機能を持たない通常のパンツにあっても、図２３に例を示すように、右前身頃（図２３（ａ））、左前身頃（図２３（ｂ））、左後身頃（図２３（ｃ））、及び右前身頃（図２３（ｄ））といったような４つのパーツから身頃が作製されるのが通常であった。
【特許文献１】特開２００７−５６３８４号公報
【発明の開示】
【発明が解決しようとする課題】
【０００３】
しかしながら、パンツの作製に係るパーツが多いほど、裁断や縫製の箇所が多くなり、製造コストが高くなるので、このようなパンツの作製にあっては、パーツ数を少なくすることが好ましい。究極的には、パンツの身頃を１つのパーツから作製することが望まれるが、安易にそのようなパーツ設計をした場合には、パーツの左右幅が大きくなって、幅広の特殊な生地を準備する必要が生じ、却ってコスト高となる場合もある。また、この場合にパーツの左右幅を抑えようとすれば、人体の下半身の立体形状に適合させる設計が難しく、着心地が悪いパンツが出来上がってしまう。このように、パンツの身頃を１つのパーツで作製しようとする場合、パーツの左右幅の抑制と着心地とを両立することは困難であった。
【０００４】
そこで、本発明は、幅を狭く抑えた１つのパーツを用いて身頃が作製され、かつ着心地がよいパンツ、及びこのようなパンツの作製を可能にするための裁断生地を提供することを目的とする。
【課題を解決するための手段】
【０００５】
本発明のパンツは、中心線に対して左右線対称に形成された一枚裁ちの裁断生地を縫製して作製される身頃を備え、
裁断生地は、
上部の両端に位置し、外側に湾曲しながら下方に延びる左右一対の股ぐり右側裁断ライン及び股ぐり左側裁断ラインと、
股ぐり右側裁断ラインの右端の点から下方に延びる右股下外側裁断ライン、及び股ぐり左側裁断ラインの左端の点から下方に延びる左股下外側裁断ラインと、
右股下外側裁断ラインと左股下外側裁断ラインとの間に左右一対で設けられ、中心線上で接続された右股下内側裁断ライン及び左股下内側裁断ラインと、を有し、
身頃は、
股ぐり右側裁断ラインと股ぐり左側裁断ラインとが縫合されて形成される股ぐり縫い目と、
右股下外側裁断ラインと右股下内側裁断ラインとが縫合されて形成される右股下縫い目と、
左股下外側裁断ラインと左股下内側裁断ラインとが縫合されて形成される左股下縫い目と、を有し、
裁断生地の股ぐり右側裁断ラインはＪ字状に湾曲して延び、当該股ぐり右側裁断ラインの右端の点における接線が右上がりの傾斜をもち、
裁断生地の股ぐり左側裁断ラインはＪ字状に湾曲して延び、当該股ぐり左側裁断ライン左端の点における接線が左上がりの傾斜をもつことを特徴とする。
【０００６】
このパンツの身頃は、裁断生地を縫製して作製される。この裁断生地は、一枚裁ちで形成されており、上部両端には、外側に湾曲しながら下方に延びる左右一対の股ぐり右側裁断ライン及び股ぐり左側裁断ラインとが形成されている。そして、この股ぐり右側裁断ラインと股ぐり左側裁断ラインとが縫合されることで、身頃の股ぐり縫い目が形成される。ここで、裁断生地の股ぐり右側裁断ライン及び股ぐり左側裁断ラインはＪ字状に湾曲しているので、人体の股ぐり線に沿う立体形状で、かつ人体の股ぐり線の半分以上を占める比較的長い股ぐり縫い目を形成する。そして、上記のような比較的長い股ぐり縫い目を形成させるように、裁断生地の一部を左右に張り出させることで、裁断生地全体としては左右幅を抑えることができる。また、裁断生地の一部を左右に張り出させることで、人体の下半身の立体形状に適合した着心地がよい身頃が、一枚裁ちの裁断生地を用いて作製される。本発明の「パンツ」とは、下半身に着用する衣類の総称であり、例えば、パンタロン、ズボン、スラックス、ジーンズ等が含まれる。
【０００７】
また、この場合、裁断生地の右股下外側裁断ラインの下側と左股下外側裁断ラインの下側とが、中心線の方向に略平行に延びていることとしてもよい。
【０００８】
この構成によれば、着用者の両脚に対応する裁断生地上の部位が左右に広がらないので、裁断生地全体の左右幅をより抑えることができる。
【０００９】
また、裁断生地の右股下外側裁断ラインの上側と股ぐり右側裁断ラインの下側とを輪郭として形成された右側持ち出し部と、裁断生地の左股下外側裁断ラインの上側と股ぐり左側裁断ラインの下側とを輪郭として形成された左側持ち出し部とが、それぞれ着用者の両脚の内腿部に対応することとしてもよい。
【００１０】
このように、裁断生地の両端に現れる右側及び左側持ち出し部を、それぞれ、着用者の両脚内腿部に対応する位置まで延ばすことにより、人体の下半身の立体形状に対応した着心地がよい身頃を形づくると共に、裁断生地全体としては左右幅を抑えることができる。
【００１１】
また、裁断生地の右股下外側裁断ラインの上側と左股下外側裁断ラインの上側は、外側に凸のＵ字状に湾曲していることとしてもよい。
【００１２】
また、この場合、身頃の右股下縫い目と左股下縫い目とは、着用者の背面方向から見える位置において接続され、
股ぐり縫い目は、接続された右股下縫い目及び左股下縫い目に対してＴ字状に交差することとしてもよい。
【００１３】
また、裁断生地の右股下外側裁断ラインの上側と左股下外側裁断ラインの上側は、Ｓ字状に湾曲していることとしてもよい。
【００１４】
また、この場合、身頃の右股下縫い目と左股下縫い目とは、着用者の正面方向から見える位置において接続され、
股ぐり縫い目は、接続された右股下縫い目及び左股下縫い目に対してＴ字状に交差することとしてもよい。
【００１５】
本発明の裁断生地は、パンツの身頃を作製するための裁断生地において、
中心線に対して左右線対称の形状に一枚裁ちで形成されており、
上部の両端に位置し、外側に湾曲しながら下方に延びる左右一対の股ぐり右側裁断ライン及び股ぐり左側裁断ラインと、
股ぐり右側裁断ラインの右端の点から下方に延びる右股下外側裁断ライン、及び股ぐり左側裁断ラインの左端の点から下方に延びる左股下外側裁断ラインと、
右股下外側裁断ラインと左股下外側裁断ラインとの間に左右一対で設けられ、中心線上で接続された右股下内側裁断ライン及び左股下内側裁断ラインと、を有し、
裁断生地の股ぐり右側裁断ラインはＪ字状に湾曲して延び、当該股ぐり右側裁断ラインの右端の点における接線が右上がりの傾斜をもち、
裁断生地の股ぐり左側裁断ラインはＪ字状に湾曲して延び、当該股ぐり左側裁断ラインの左端の点における接線が左上がりの傾斜をもつことを特徴とする。
【００１６】
この裁断生地は、一枚裁ちで形成されており、上部両端には、外側に湾曲しながら下方に延びる左右一対の股ぐり右側裁断ライン及び股ぐり左側裁断ラインとが形成されている。そして、この股ぐり右側裁断ラインと股ぐり左側裁断ラインとが縫合されることで、身頃の股ぐり縫い目が形成される。ここで、裁断生地の股ぐり右側裁断ライン及び股ぐり左側裁断ラインはＪ字状に湾曲しているので、人体の股ぐり線に沿う立体形状で、かつ人体の股ぐり線の半分以上を占める比較的長い股ぐり縫い目を形成する。そして、上記のような比較的長い股ぐり縫い目を形成させるように、裁断生地の一部を左右に張り出させることで、裁断生地全体としては左右幅を抑えることができる。また、裁断生地の一部を左右に張り出させることで、人体の下半身の立体形状に適合した着心地がよい身頃が、一枚裁ちの上記裁断生地を用いて作製される。
【発明の効果】
【００１７】
本発明によれば、幅を狭く抑えた１つのパーツを用いて身頃が作製され、かつ着心地がよいパンツ、及びこのようなパンツの作製を可能にするための裁断生地を提供することができる。
【発明を実施するための最良の形態】
【００１８】
以下、図面を参照しつつ本発明に係るパンツ及び裁断生地の好適な実施形態について詳細に説明する。
【００１９】
（第１実施形態）
図１及び図２に示すズボン１０の身頃３１は、一枚裁ちされた裁断生地１（図３）の１パーツを用いて作製されるものである。この身頃３１では、ズボン１０の着用者の後腰中央を被う部分１０ａが続け裁ちされており、当該部分に上下方向の縫い目が現れない。
【００２０】
図３は、裁断生地１を表側から見た平面図であり、すなわち、図３の紙面の表側が、完成したズボン１０の身頃３１の表側に対応する。また、図３の上下方向は、裁断生地１の縦地の方向（経糸方向）Ａに一致している。
【００２１】
図３に示すように、裁断生地１は、厚さ約２〜３ｍｍ程度の布地から裁断された平面状のものであり、ズボン１０の上下方向に縦地を使うべく、縦地方向Ａに延びる中心線Ｚを対称軸として左右線対称の形状を成している。この裁断生地１は、腰回り裁断ライン３、股ぐり右側裁断ラインＲ４、股ぐり左側裁断ラインＬ４、右股下外側裁断ラインＲ５、左股下外側裁断ラインＬ５、右股下内側裁断ラインＲ６、左股下内側裁断ラインＬ６、右裾裁断ラインＲ７、及び左裾裁断ラインＬ７といった９つの裁断ラインに沿って裁断され平面状に形成される。なお、裁断生地１は、上記各裁断ラインに沿って、わずかに外側の平行なライン（図中に一点鎖線で示す）で裁断され布地から切り出されるので、裁断生地１の実際の輪郭部には、所定の幅の縫い代９が設けられる。
【００２２】
裁断生地１の最上部の輪郭をなす上記腰回り裁断ライン３は、縦地方向Ａに略直交する方向に延在しており、完成した身頃３１では腰回りの開口縁を形成する。この腰回り裁断ライン３上の２箇所には、完成した身頃３１の立体形状を調整するためのダーツ３ａが形成されている。
【００２３】
股ぐり右側裁断ラインＲ４は、上記腰回り裁断ライン３の右端点Ｒ１３から下方に延びている。この股ぐり右側裁断ラインＲ４は、上記右端点Ｒ１３から右斜め下方に向かって点Ｒ４ｃまで直線状に延びる上側ラインＲ４ａと、上側ラインＲ４ａに連続して点Ｒ４ｃから湾曲しながら延びる下側ラインＲ４ｂとで構成される。この下側ラインＲ４ｂは、右に行くほど上に持ち上がるように湾曲しており、右端点Ｒ１４における接線Ｒ１４ａは右上がりの傾斜をもっている。このように、股ぐり右側裁断ラインＲ４は、全体としてＪ字状に湾曲した形状をなす。
【００２４】
また、右股下外側裁断ラインＲ５は、股ぐり右側裁断ラインＲ４の右端点Ｒ１４から下方に向かって延びている。この右股下外側裁断ラインＲ５は、外側に凸のＵ字状に湾曲しながら上記右端点Ｒ１４から点Ｒ５ｃまで延びる上側ラインＲ５ａと、その上側ラインＲ５ａの下方に続いて点Ｒ５ｃから直線状に延びる下側ラインＲ５ｂとで構成される。このうち下側ラインＲ５ｂは、中心線Ｚに対して略平行に延在している。なお、右端点Ｒ１４においては、股ぐり右側裁断ラインＲ４の接線Ｒ１４ａと、右股下外側裁断ラインＲ５の接線Ｒ１５ａとが、略直角に交差する。
【００２５】
このような裁断ラインにより、裁断生地１の右端では、前述した股ぐり右側裁断ラインＲ４の下側ラインＲ４ｂと、右股下外側裁断ラインＲ５の上側ラインＲ５ａと、点Ｒ４ｃと点Ｒ５ｃとを結ぶ線と、を輪郭とする右側持ち出し部Ｒ２１が形成される。そして、鷲の嘴を上下反転させたような形状を呈するこの右側持ち出し部Ｒ２１が、裁断生地１の右部において外側に大きく張り出すこととなる。
【００２６】
上記裁断ラインＲ４，Ｒ５よりも内側に位置する右股下内側裁断ラインＲ６は、湾曲した上側ラインＲ６ａと、直線状の下側ラインＲ６ｂとで構成される。上側ラインＲ６ａは、中心線Ｚ上における裁断生地１の下端の中心点Ｃを始点とし下方に湾曲しながら点Ｒ６ｃまで右斜め下方向に延びており、下側ラインＲ６ｂは、その上側ラインＲ６ａの下方に続いて中心線Ｚと略平行に点Ｒ６ｃから延びている。この右股下内側裁断ラインＲ６と上記右股下外側裁断ラインＲ５とに挟まれた領域は、完成した身頃３１において着用者の右脚を覆う右脚身頃に対応する。また、この右股下内側裁断ラインＲ６は、中心点Ｃにおいて左股下内側裁断ラインＬ６と接続されており、互いに左右対称をなす右股下内側裁断ラインＲ６及び左股下内側裁断ラインＬ６によって、中心線Ｚ上にアーチ型の切り込み２３が形成されている。
【００２７】
また、右裾裁断ラインＲ７は、右股下外側裁断ラインＲ５の下端点Ｒ１５と右股下内側裁断ラインＲ６の下端点Ｒ１６とを結ぶ右上がりの直線として形成されている。この右裾裁断ラインＲ７は、完成した身頃３１では下端における右脚裾の開口縁を形成する。
【００２８】
なお、この裁断生地１の中心線Ｚの左側にも、上述の各部位に対して左右対称の各部位が現れる。例えば、図に示した股ぐり左側裁断ラインＬ４、左股下外側裁断ラインＬ５、及び左股下内側裁断ラインＬ６は、それぞれ、上述の股ぐり右側裁断ラインＲ４、右股下外側裁断ラインＲ５、及び右股下内側裁断ラインＲ６に対して左右対称の形状をなす。従って、中心線Ｚの左側の各部位については、それぞれ右側の対応する部位の”Ｒ”を”Ｌ”に差し替えた符号を図中に付して、詳細な説明を省略する。
【００２９】
続いて、図１〜図３を参照し、このような裁断生地１を縫製して完成した身頃３１について説明する。上記裁断生地１の右股下外側裁断ラインＲ５と右股下内側裁断ラインＲ６とを縫合することで、身頃３１の右脚股下縫い目Ｒ２５が形成される。また、同様に、裁断生地１の左股下外側裁断ラインＬ５と左股下内側裁断ラインＬ６とを縫合することで、身頃３１の左脚股下縫い目Ｌ２５が形成される。
【００３０】
更に、裁断生地１の股ぐり右側裁断ラインＲ４と股ぐり左側裁断ラインＬ４とを縫合することで、身頃３１の股ぐり縫い目２４が形成される。このとき、裁断生地１上の中心点Ｃで右端点Ｒ１４と左端点Ｌ１４とが重なる。そして、接続された右脚股下縫い目Ｒ２５及び左脚股下縫い目Ｌ２５と、股ぐり縫い目２４とのＴ字状の交差点２７が、完成した身頃３１の背面側に現れる。その後、完成した身頃３１には、前ポケット３２ａ，３２ｂ、後ポケット３３ａ，３３ｂ、ベルトループ３４、及びファスナ３５等を形成する加工が施されてズボン１０が完成する。
【００３１】
前述の通り、股ぐり右側裁断ラインＲ４、及び股ぐり左側裁断ラインＬ４がＪ字状をなしているので、完成した身頃３１においては、着用者の腹部から臀部の下部まで回り込み股ぐり線の半分以上を占めるようなＪ字状の股ぐり縫い目２４が形成され、上記Ｔ字状交差点２７は、着用者の背面側から見える程に背面側に偏った位置に現れることになる。そして、裁断生地１における右側及び左側の持ち出し部Ｒ２１，Ｌ２１は、完成した身頃３１においては、着用者の内腿部から臀部の下部までを被うように股ぐり縫い目２４の下方に広がる。また、裁断生地１では縦地方向Ａに略平行であった下側ラインＲ５ｂ，Ｌ５ｂが、完成した身頃３１においては、それぞれ着用者の脚に対して傾いた方向に延びる右脚股下縫い目Ｒ２５及び左脚股下縫い目Ｌ２５を形成している。
【００３２】
このように、完成した身頃３１において着用者の内腿部を被う部分が、着用者の背面側から見える位置にまで延びており、当該部分を、裁断生地１の左右に大きく張り出させた持ち出し部Ｒ２１，Ｌ２１により形成することとしている。このような構成により、裁断生地１の全体としては左右幅をあまり広げることなく、人体の下半身形状に適合させた着心地がよい立体形状の身頃３１を実現することができる。
【００３３】
また、完成した身頃３１において、右脚股下縫い目Ｒ２５及び左脚股下縫い目Ｌ２５を着用者の脚に平行にしようとすると、裁断生地１においては、右股下外側裁断ラインＲ５及び左股下外側裁断ラインＬ５が、下方に行くほど外側に広がる形状となってしまい、裁断生地１の左右幅が広がってしまう。そこで、裁断生地１では、前述の通り、身頃３１における右脚股下縫い目Ｒ２５及び左脚股下縫い目Ｌ２５を着用者の脚に対して傾けることで、裁断生地１上では、下側ラインＲ５ｂ，Ｌ５ｂを中心線Ｚに略平行としている。この構成により、裁断生地１の左右幅を抑えたまま、左右の脚の身頃を形成することができる。また、この場合、裁断生地１上で右裾裁断ラインＲ７及び左裾裁断ラインＬ７が、それぞれ、右上がり、左上がりに傾いているので、完成した身頃３１においては、裾の開口縁が略水平になる。
【００３４】
また、大量生産される布地の中で、一般的に最も幅広のものは、「ダブル幅」と呼ばれる生地幅約１５０ｃｍのものである。そして、裁断生地１の前述の構成によれば、裁断生地１を一枚裁ちで形成しながらも、裁断生地１の左右幅を縫い代を含めてダブル幅以下に抑えることができ、ズボン１０の大量生産が可能となる。そして、ズボン１０の身頃３１は、一枚裁ちで形成された上記裁断生地１から作製されるので、生地の裁断や縫製の箇所が少なく抑えられ、ズボン１０の製造コストを抑えることができる。
【００３５】
なお、パンツの上下方向を縦地方向Ａに直交するように裁断生地を設計することにより、生地幅の制限を受けないようにすることも考えられる。しかし、そのような設計は、織布の縦地を被服の上下方向に使うという被服設計上の基本に反することとなるため、仕上がったパンツの生地伸縮が通常と異なるという問題や、パンツの機械的強度が低下するといった問題がある。従って、裁断生地１のように、中心線Ｚを縦地方向Ａに一致させることが好ましく、そのためにも、裁断生地１の左右幅を狭く抑えることが重要である。
【００３６】
（第２実施形態）
図４及び図５に示すズボン１１０の身頃１３１は、一枚裁ちされたこの裁断生地１０１（図６）の１パーツを用いて作製されるものである。この身頃１３１では、ズボン１１０の着用者の前腰中央を被う部分１１０ａが続け裁ちされており、当該部分に上下方向の縫い目が現れない。この身頃１３１は、前述の身頃３１に比較しておよそ前後対称に形成されるものであるが、人体の下半身における前後の非対称性が反映されて、身頃３１とは各部の形状に相違がある。
【００３７】
図６は、裁断生地１０１を裏側から見た平面図であり、すなわち、図６の紙面の表側が、完成したズボン１１０の身頃１３１の裏側に対応する。また、図６の上下方向は、裁断生地１０１の縦地の方向（経糸方向）Ａに一致している。
【００３８】
図６に示すように、裁断生地１０１は、厚さ約２〜３ｍｍ程度の布地から裁断された平面状のものであり、ズボン１１０の上下方向に縦地を使うべく、縦地方向Ａに延びる中心線Ｚを対称軸として左右線対称の形状を成している。この裁断生地１０１は、腰回り裁断ライン１０３、股ぐり右側裁断ラインＲ１０４、股ぐり左側裁断ラインＬ１０４、右股下外側裁断ラインＲ１０５、左股下外側裁断ラインＬ１０５、右股下内側裁断ラインＲ１０６、左股下内側裁断ラインＬ１０６、右裾裁断ラインＲ１０７、及び左裾裁断ラインＬ１０７といった９つの裁断ラインに沿って裁断され平面状に形成される。なお、裁断生地１０１は、上記各裁断ラインに沿って、わずかに外側の平行なライン（図中に一点鎖線で示す）で裁断され布地から切り出されるので、裁断生地１の実際の輪郭部には、所定の幅の縫い代１０９が設けられる。
【００３９】
裁断生地１の最上部の輪郭をなす上記腰回り裁断ライン１０３は、縦地方向Ａに略直交する方向に延在しており、完成した身頃１３１では腰回りの開口縁を形成する。この腰回り裁断ライン１０３上の２箇所には、完成した身頃１３１の立体形状を調整するためのダーツ１０３ａが形成されている。
【００４０】
股ぐり右側裁断ラインＲ１０４は、上記腰回り裁断ライン１０３の右端点Ｒ１１３から下方に延びている。この股ぐり右側裁断ラインＲ１０４は、上記右端点Ｒ１１３から右斜め下方に向かって点Ｒ１０４ｃまで直線状に延びる上側ラインＲ１０４ａと、その上側ラインＲ１０４ａに連続して点Ｒ１０４ｃから湾曲しながら延びる下側ラインＲ１０４ｂとで構成される。この下側ラインＲ１０４ｂは、右に行くほど上に持ち上がるように湾曲しており、右端点Ｒ１１４における接線Ｒ１１４ａは右上がりの傾斜をもっている。このように、股ぐり右側裁断ラインＲ１０４は、全体としてＪ字状に湾曲した形状をなす。
【００４１】
また、右股下外側裁断ラインＲ１０５は、股ぐり右側裁断ラインＲ１０４の右端点Ｒ１１４から下方に向かって延びている。この右股下外側裁断ラインＲ１０５は、Ｓ字状に湾曲しながら上記右端点Ｒ１１４から点Ｒ１０５ｃまで斜め左下に向かって延びる上側ラインＲ１０５ａと、その上側ラインＲ１０５ａの下方に続いて点Ｒ１０５ｃから直線状に延びる下側ラインＲ１０５ｂとで構成される。このうち下側ラインＲ１０５ｂは、中心線Ｚに対して略平行に延在している。なお、右端点Ｒ１１４においては、股ぐり右側裁断ラインＲ１０４の接線Ｒ１１４ａと、右股下外側裁断ラインＲ１０５の接線Ｒ１１５ａとが、略直角に交差する。
【００４２】
このような裁断ラインにより、裁断生地１０１の右端では、前述した股ぐり右側裁断ラインＲ１０４の下側ラインＲ１０４ｂと、右股下外側裁断ラインＲ１０５の上側ラインＲ１０５ａと、点Ｒ１０４ｃと点Ｒ１０５ｃとを結ぶ線と、を輪郭とする右側持ち出し部Ｒ１２１が形成される。そして、鷲の嘴を上下反転させたような形状を呈するこの右側持ち出し部Ｒ１２１が、裁断生地１０１の右部において外側に大きく張り出すこととなる。なお、この右側持ち出し部Ｒ１２１は、前述の裁断生地１の右側持ち出し部Ｒ２１よりも小さいが、この相違は、人体の下半身の前側と後側との立体形状の違いが反映されたものである。
【００４３】
上記裁断ラインＲ１０４，Ｒ１０５よりも内側に位置する右股下内側裁断ラインＲ１０６は、湾曲した上側ラインＲ１０６ａと、直線状の下側ラインＲ１０６ｂとで構成される。上側ラインＲ１０６ａは、中心線Ｚ上における裁断生地１０１の下端の中心点Ｃを始点とし下方に湾曲しながら点Ｒ１０６ｃまで右斜め下方向に延びており、下側ラインＲ１０６ｂは、その上側ラインＲ１０６ａの下方に続いて中心線Ｚと略平行に点Ｒ１０６ｃから延びている。この右股下内側裁断ラインＲ１０６と上記右股下外側裁断ラインＲ１０５とに挟まれた領域は、完成した身頃３１において着用者の右脚を覆う右脚身頃に対応する。また、この右股下内側裁断ラインＲ１０６は、中心点Ｃにおいて左股下内側裁断ラインＬ１０６と接続されており、互いに左右対称をなす右股下内側裁断ラインＲ１０６及び左股下内側裁断ラインＬ１０６によって、中心線Ｚ上にアーチ型の切り込み１２３が形成されている。
【００４４】
また、右裾裁断ラインＲ１０７は、右股下外側裁断ラインＲ１０５の下端点Ｒ１１５と右股下内側裁断ラインＲ１０６の下端点Ｒ１１６とを結ぶ直線として形成されている。この右裾裁断ラインＲ１０７は、完成した身頃１３１では下端における右脚裾の開口縁を形成する。
【００４５】
なお、この裁断生地１０１の中心線Ｚの左側にも、上述の各部位に対して左右対称の各部位が現れる。例えば、図に示した股ぐり左側裁断ラインＬ１０４、左股下外側裁断ラインＬ１０５、及び左股下内側裁断ラインＬ１０６は、それぞれ、上述の股ぐり右側裁断ラインＲ１０４、右股下外側裁断ラインＲ１０５、及び右股下内側裁断ラインＲ１０６に対して左右対称の形状をなす。従って、中心線Ｚの左側の各部位については、それぞれ右側の対応する部位の”Ｒ”を”Ｌ”に差し替えた符号を図中に付して、詳細な説明を省略する。
【００４６】
続いて、図４〜図６を参照し、このような裁断生地１０１を縫製して完成した身頃１３１について説明する。上記裁断生地１０１の右股下外側裁断ラインＲ１０５と右股下内側裁断ラインＲ１０６とを縫合することで、身頃１３１の右脚股下縫い目Ｒ１２５が形成される。また、同様に、裁断生地１０１の左股下外側裁断ラインＬ１０５と左股下内側裁断ラインＬ１０６とを縫合することで、身頃１３１の左脚股下縫い目Ｌ１２５が形成される。
【００４７】
更に、裁断生地１０１の股ぐり右側裁断ラインＲ１０４と股ぐり左側裁断ラインＬ１０４とを縫合することで、身頃１３１の股ぐり縫い目１２４が形成される。このとき、裁断生地１０１上の中心点Ｃで右端点Ｒ１１４と左端点Ｌ１１４とが重なる。そして、接続された右脚股下縫い目Ｒ１２５及び左脚股下縫い目Ｌ１２５と、股ぐり縫い目１２４とのＴ字状の交差点１２７が、完成した身頃３１の正面側に現れる。その後、完成した身頃１３１には、前ポケット１３２ａ，１３２ｂ、後ポケット１３３ａ，１３３ｂ、ベルトループ１３４、及びファスナ１３５等を形成する加工が施されてズボン１１０が完成する。
【００４８】
前述の通り、股ぐり右側裁断ラインＲ１０４、及び股ぐり左側裁断ラインＬ１０４がＪ字状をなしているので、完成した身頃１３１においては、着用者の腰部から前腰部の下部まで回り込み股ぐり線の半分以上を占めるようなＪ字状の股ぐり縫い目１２４が形成され、上記Ｔ字状交差点１２７は、着用者の正面側から見える程に正面側に偏った位置に現れることになる。そして、裁断生地１０１における右側及び左側の持ち出し部Ｒ１２１，Ｌ１２１が、完成した身頃１３１においては、着用者の内腿部から前腰部の下部までを被うように股ぐり縫い目１２４の下方で広がる。
【００４９】
このように、完成した身頃１３１において着用者の内腿部を被う部分が、着用者の正面側から見える位置にまで延びており、当該部分を、裁断生地１０１の左右に大きく張り出させた持ち出し部Ｒ１２１，Ｌ１２１により形成することとしている。このような構成により、裁断生地１０１の全体としては左右幅をあまり広げることなく、人体の下半身形状に適合させた着心地がよい立体形状の身頃１３１を実現することができる。
【００５０】
また、大量生産に係る一般的な布地の中で、最も幅広のものは、「ダブル幅」と呼ばれる生地幅約１５０ｃｍのものである。そして、裁断生地１０１の前述の構成によれば、裁断生地１０１を一枚裁ちで形成しながらも、裁断生地１０１の左右幅を縫い代を含めてダブル幅以下に抑えることができ、ズボン１１０の大量生産が可能となる。そして、ズボン１１０の身頃１３１は、一枚裁ちで形成された上記裁断生地１０１から作製されるので、生地の裁断や縫製の箇所が少なく抑えられ、ズボン１１０の製造コストを抑えることができる。
【００５１】
なお、パンツの上下方向を縦地方向Ａに直交するように裁断生地を設計することにより、生地幅の制限を受けないようにすることも考えられる。しかし、そのような設計は、織布の縦地を被服の上下方向に使うという被服設計上の基本に反することとなるため、仕上がったパンツの生地伸縮が通常と異なるという問題や、パンツの機械的強度が低下するといった問題がある。従って、裁断生地１０１のように、中心線Ｚを縦地方向Ａに一致させることが好ましく、そのためにも、裁断生地１０１の左右幅を狭く抑えることが重要である。
【００５２】
（第３実施形態）
図７〜図１４に示すズボン（パンツ）２１０の身頃は、前述の裁断生地１に対して適宜ダーツを加えるなどして、人体の下半身の立体形状に更にフィットさせるように設計した裁断生地を用いて作製したものである。ズボン２１０は、その身頃にベルトループ、ポケットなどを形成する加工が施されて作製される。なお、図７〜図１４は、ズボン２１０の着用状態での形状を示している。また、図７〜図１４では、実線で表した部分が、部分意匠として意匠登録を受けようとする部分である。
【００５３】
（第４実施形態）
図１５〜図２２に示すズボン（パンツ）３１０の身頃は、前述の裁断生地１０１に対して適宜ダーツを加えるなどして、人体の下半身の立体形状に更にフィットさせるように設計した裁断生地を用いて作製したものである。ズボン３１０は、その身頃にベルトループ、ポケットなどを形成する加工が施されて作製される。なお、図１５〜図２２は、ズボン３１０の着用状態での形状を示している。また、図１５〜図２２では、実線で表した部分が、部分意匠として意匠登録を受けようとする部分である。
【図面の簡単な説明】
【００５４】
【図１】本発明の第１実施形態に係るパンツを、着用したときの状態で前から見た斜視図である。
【図２】本発明の第１実施形態に係るパンツを、着用したときの状態で後から見た斜視図である。
【図３】本発明の第１実施形態に係るパンツの身頃を作製するために用いられる裁断生地を表側から見た平面図である。
【図４】本発明の第２実施形態に係るパンツを、着用したときの状態で前から見た斜視図である。
【図５】本発明の第２実施形態に係るパンツを、着用したときの状態で後から見た斜視図である。
【図６】本発明の第２実施形態に係るパンツの身頃を作製するために用いられる裁断生地を裏側から見た平面図である。
【図７】本発明の第３実施形態に係るパンツの正面図である。
【図８】本発明の第３実施形態に係るパンツの背面図である。
【図９】本発明の第３実施形態に係るパンツの平面図である。
【図１０】本発明の第３実施形態に係るパンツの底面図である。
【図１１】本発明の第３実施形態に係るパンツの左側面図である。
【図１２】本発明の第３実施形態に係るパンツの右側面図である。
【図１３】本発明の第３実施形態に係るパンツを前から見た斜視図である。
【図１４】本発明の第３実施形態に係るパンツを後から見た斜視図である。
【図１５】本発明の第４実施形態に係るパンツの正面図である。
【図１６】本発明の第４実施形態に係るパンツの背面図である。
【図１７】本発明の第４実施形態に係るパンツの平面図である。
【図１８】本発明の第４実施形態に係るパンツの底面図である。
【図１９】本発明の第４実施形態に係るパンツの左側面図である。
【図２０】本発明の第４実施形態に係るパンツの右側面図である。
【図２１】本発明の第４実施形態に係るパンツを前から見た斜視図である。
【図２２】本発明の第４実施形態に係るパンツを後から見た斜視図である。
【図２３】（ａ）〜（ｄ）は、従来のパンツを作製するための各パーツを示す平面図である。
【符号の説明】
【００５５】
１，１０１…裁断生地、
１０，１１０，２１０，３１０…ズボン（パンツ）、
３１，１３１…身頃、
Ｒ４，Ｒ１０４…股ぐり右側裁断ライン、
Ｒ４ｂ，Ｒ１０４ｂ…股ぐり右側裁断ラインの下側ライン、
Ｒ５，Ｒ１０５…右股下外側裁断ライン、
Ｒ５ａ，Ｒ１０５ａ…右股下外側裁断ラインの上側ライン、
Ｒ５ｂ，Ｒ１０５ｂ…右股下外側裁断ラインの下側ライン、
Ｒ６，Ｒ１０６…右股下内側裁断ライン、
Ｒ１４，Ｒ１１４…股ぐり右側裁断ラインの右端の点、
Ｒ１４ａ，Ｒ１１４ａ…股ぐり右側裁断ラインの接線、
Ｒ２１，Ｒ１２１…右側持ち出し部、
Ｌ４，Ｌ１０４…股ぐり左側裁断ライン、
Ｌ４ｂ，Ｌ１０４ｂ…股ぐり左側裁断ラインの下側ライン、
Ｌ５，Ｌ１０５…左股下外側裁断ライン、
Ｌ５ａ，Ｌ１０５ａ…左股下外側裁断ラインの上側ライン、
Ｌ５ｂ，Ｌ１０５ｂ…左股下外側裁断ラインの下側ライン、
Ｌ６，Ｌ１０６…左股下内側裁断ライン、
Ｌ１４，Ｌ１１４…股ぐり左側裁断ラインの左端の点、
Ｌ１４ａ，Ｌ１１４ａ…股ぐり左側裁断ラインの接線、
Ｌ２１，Ｌ１２１…左側持ち出し部、
２４，１２４…股ぐり縫い目、
Ｒ２５，Ｒ１２５…右股下縫い目、
Ｌ２５，Ｌ１２５…左股下縫い目、
Ｚ…中心線。
【図１】
2008297645.tif 000003
【図２】
2008297645.tif 000004
【図３】
2008297645.tif 000005
【図４】
2008297645.tif 000006
【図５】
2008297645.tif 000007
【図６】
2008297645.tif 000008
【図７】
2008297645.tif 000009
【図８】
2008297645.tif 000010
【図９】
2008297645.tif 000011
【図１０】
2008297645.tif 000012
【図１１】
2008297645.tif 000013
【図１２】
2008297645.tif 000014
【図１３】
2008297645.tif 000015
【図１４】
2008297645.tif 000016
【図１５】
2008297645.tif 000017
【図１６】
2008297645.tif 000018
【図１７】
2008297645.tif 000019
【図１８】
2008297645.tif 000020
【図１９】
2008297645.tif 000021
【図２０】
2008297645.tif 000022
【図２１】
2008297645.tif 000023
【図２２】
2008297645.tif 000024
【図２３】
2008297645.tif 000025
【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
縦地方向に延び着用者の後腰中央に対応する中心線に対して左右線対称に形成された一枚裁ちの裁断生地を縫製して作製される身頃を備え、
前記裁断生地は、
上部の両端に位置し、外側に湾曲しながら下方に延びる左右一対の股ぐり右側裁断ライン及び股ぐり左側裁断ラインと、
前記股ぐり右側裁断ラインの右端の点から下方に延びる右股下外側裁断ライン、及び前記股ぐり左側裁断ラインの左端の点から下方に延びる左股下外側裁断ラインと、
前記右股下外側裁断ラインと左股下外側裁断ラインとの間に左右一対で設けられ、前記中心線上で接続された右股下内側裁断ライン及び左股下内側裁断ラインと、
前記右股下外側裁断ラインの下端と前記右股下内側裁断ラインの下端とを結ぶ右裾裁断ラインと、
前記左股下外側裁断ラインの下端と前記左股下内側裁断ラインの下端とを結ぶ左裾裁断ラインと、
を有し、
前記身頃は、
前記股ぐり右側裁断ラインと股ぐり左側裁断ラインとが縫合されて形成される股ぐり縫い目と、
前記右股下外側裁断ラインと右股下内側裁断ラインとが縫合されて形成される右股下縫い目と、
前記左股下外側裁断ラインと左股下内側裁断ラインとが縫合されて形成される左股下縫い目と、
前記裁断生地のうちの前記右股下内側裁断ラインと前記右股下外側裁断ラインと前記右裾裁断ラインとに囲まれた領域の部分から形成され、着用者の右脚を覆う右脚身頃部と、
前記裁断生地のうちの前記左股下内側裁断ラインと前記左股下外側裁断ラインと前記左裾裁断ラインとに囲まれた領域の部分から形成され、着用者の左脚を覆う左脚身頃部と、
を有し、
前記裁断生地の前記股ぐり右側裁断ラインはＪ字状に湾曲して延び、当該股ぐり右側裁断ラインの前記右端の点における接線が右上がりの傾斜をもち、
前記裁断生地の前記股ぐり左側裁断ラインはＪ字状に湾曲して延び、当該股ぐり左側裁断ラインの前記左端の点における接線が左上がりの傾斜をもち、
前記裁断生地の前記右裾裁断ラインが右上がりの傾斜をもち、前記裁断生地の前記左裾裁断ラインが左上がりの傾斜をもち、
前記裁断生地の前記右股下外側裁断ラインの下側と前記左股下外側裁断ラインの下側とが、前記中心線に略平行に延びていることを特徴とするパンツ。
【請求項２】
前記裁断生地の前記右股下外側裁断ラインの上側と前記股ぐり右側裁断ラインの下側とを輪郭として形成された右側持ち出し部と、前記裁断生地の前記左股下外側裁断ラインの上側と前記股ぐり左側裁断ラインの下側とを輪郭として形成された左側持ち出し部とが、それぞれ着用者の両脚内腿部に対応することを特徴とする請求項１に記載のパンツ。
【請求項３】
前記裁断生地の前記右股下外側裁断ラインの上側と前記左股下外側裁断ラインの上側は、外側に凸のＵ字状に湾曲していることを特徴とする請求項１又は２に記載のパンツ。
【請求項４】
前記身頃の前記右股下縫い目と前記左股下縫い目とは、着用者の背面方向から見える位置において接続され、
前記股ぐり縫い目は、接続された前記右股下縫い目及び前記左股下縫い目に対してＴ字状に交差することを特徴とする請求項３に記載のパンツ。
【手続補正３】
【補正対象書類名】明細書
【補正対象項目名】０００１
【補正方法】変更
【補正の内容】
【０００１】
本発明は、パンツに関するものである。
【手続補正４】
【補正対象書類名】明細書
【補正対象項目名】０００４
【補正方法】変更
【補正の内容】
【０００４】
そこで、本発明は、幅を狭く抑えた１つのパーツを用いて身頃が作製され、かつ着心地がよいパンツを提供することを目的とする。
【手続補正５】
【補正対象書類名】明細書
【補正対象項目名】０００５
【補正方法】変更
【補正の内容】
【０００５】
本発明のパンツは、縦地方向に延び着用者の後腰中央に対応する中心線に対して左右線対称に形成された一枚裁ちの裁断生地を縫製して作製される身頃を備え、
裁断生地は、
上部の両端に位置し、外側に湾曲しながら下方に延びる左右一対の股ぐり右側裁断ライン及び股ぐり左側裁断ラインと、
股ぐり右側裁断ラインの右端の点から下方に延びる右股下外側裁断ライン、及び股ぐり左側裁断ラインの左端の点から下方に延びる左股下外側裁断ラインと、
右股下外側裁断ラインと左股下外側裁断ラインとの間に左右一対で設けられ、中心線上で接続された右股下内側裁断ライン及び左股下内側裁断ラインと、
右股下外側裁断ラインの下端と右股下内側裁断ラインの下端とを結ぶ右裾裁断ラインと、
左股下外側裁断ラインの下端と左股下内側裁断ラインの下端とを結ぶ左裾裁断ラインと、
を有し、
身頃は、
股ぐり右側裁断ラインと股ぐり左側裁断ラインとが縫合されて形成される股ぐり縫い目と、
右股下外側裁断ラインと右股下内側裁断ラインとが縫合されて形成される右股下縫い目と、
左股下外側裁断ラインと左股下内側裁断ラインとが縫合されて形成される左股下縫い目と、
裁断生地のうちの右股下内側裁断ラインと右股下外側裁断ラインと右裾裁断ラインとに囲まれた領域の部分から形成され、着用者の右脚を覆う右脚身頃部と、
裁断生地のうちの左股下内側裁断ラインと左股下外側裁断ラインと左裾裁断ラインとに囲まれた領域の部分から形成され、着用者の左脚を覆う左脚身頃部と、
を有し、
裁断生地の股ぐり右側裁断ラインはＪ字状に湾曲して延び、当該股ぐり右側裁断ラインの右端の点における接線が右上がりの傾斜をもち、
裁断生地の股ぐり左側裁断ラインはＪ字状に湾曲して延び、当該股ぐり左側裁断ラインの左端の点における接線が左上がりの傾斜をもち、
裁断生地の右裾裁断ラインが右上がりの傾斜をもち、裁断生地の左裾裁断ラインが左上がりの傾斜をもち、
裁断生地の右股下外側裁断ラインの下側と左股下外側裁断ラインの下側とが、中心線に略平行に延びていることを特徴とする。
【手続補正６】
【補正対象書類名】明細書
【補正対象項目名】０００７
【補正方法】変更
【補正の内容】
【０００７】
また、本発明のパンツでは、裁断生地の右股下外側裁断ラインの下側と左股下外側裁断ラインの下側とが、中心線の方向に略平行に延びていることから、着用者の両脚に対応する裁断生地上の部位が左右に広がらないので、裁断生地全体の左右幅をより抑えることができる。
【手続補正７】
【補正対象書類名】明細書
【補正対象項目名】０００８
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】変更
【補正の内容】
【００１７】
本発明によれば、幅を狭く抑えた１つのパーツを用いて身頃が作製され、かつ着心地がよいパンツを提供することができる。
【手続補正１１】
【補正対象書類名】明細書
【補正対象項目名】００１８
【補正方法】変更
【補正の内容】
【００１８】
以下、図面を参照しつつ本発明に係るパンツの好適な実施形態について詳細に説明する。